【手続補正書】
【提出日】平成18年8月11日(2006.8.11)
【手続補正１】
【補正対象書類名】明細書
【補正対象項目名】発明の名称
【補正方法】変更
【補正の内容】
【発明の名称】撮像装置および画像処理装置
【手続補正２】
【補正対象書類名】明細書
【補正対象項目名】特許請求の範囲
【補正方法】変更
【補正の内容】
【特許請求の範囲】
【請求項１】
画像を撮像して画像データを生成する撮像手段と、
前記画像データを非可逆圧縮する場合は、前記画像データに対して直交変換処理、量子化処理およびエントロピー符号化処理を連続的に行い、前記画像データを可逆圧縮する場合は、前記画像データに対して前記エントロピー符号化処理を行い、前記直交変換処理および前記量子化処理を行わない圧縮手段と、
前記圧縮手段により非可逆圧縮または可逆圧縮された前記画像データを記録媒体に記録する記録手段とを有することを特徴とする撮像装置。
【請求項２】
画像を撮像して画像データを生成する撮像手段と、
前記画像データに対して直交変換処理および量子化処理を行う第１の手段と、前記第１の手段で処理された後の前記画像データまたは前記第１の手段で処理される前の前記画像データに対してエントロピー符号化処理を行う第２の手段とを有する圧縮手段と、
前記圧縮手段により非可逆圧縮または可逆圧縮された前記画像データを記録媒体に記録する記録手段とを有し、
前記画像データを非可逆圧縮する場合は、前記画像データを前記第１の手段に供給した後、前記画像データを前記第２の手段に供給し、
前記画像データを可逆圧縮する場合は、前記画像データを前記第１の手段に供給せずに前記第２の手段に供給することを特徴とする撮像装置。
【請求項３】
前記直交変換処理は、離散コサイン変換を用いた処理であり、前記エントロピー符号化処理は、ハフマン符号化を用いた処理であることを特徴とする請求項１または２に記載の撮像装置。
【請求項４】
画像データを非可逆圧縮する場合は、前記画像データに対して直交変換処理、量子化処理およびエントロピー符号化処理を連続的に行い、前記画像データを可逆圧縮する場合は、前記画像データに対して前記エントロピー符号化処理を行い、前記直交変換処理および前記量子化処理を行わない圧縮手段と、
前記圧縮手段により非可逆圧縮または可逆圧縮された前記画像データを記録媒体に記録する記録手段とを有することを特徴とする画像処理装置。
【請求項５】
画像データに対して直交変換処理および量子化処理を行う第１の手段と、前記第１の手段で処理された後の前記画像データまたは前記第１の手段で処理される前の前記画像データに対してエントロピー符号化処理を行う第２の手段とを有する圧縮手段と、
前記圧縮手段により非可逆圧縮または可逆圧縮された前記画像データを記録媒体に記録する記録手段とを有し、
前記画像データを非可逆圧縮する場合は、前記画像データを前記第１の手段に供給した後、前記画像データを前記第２の手段に供給し、
前記画像データを可逆圧縮する場合は、前記画像データを前記第１の手段に供給せずに前記第２の手段に供給することを特徴とする画像処理装置。
【請求項６】
前記直交変換処理は、離散コサイン変換を用いた処理であり、前記エントロピー符号化処理は、ハフマン符号化を用いた処理であることを特徴とする請求項４または５に記載の画像処理装置。
【手続補正３】
【補正対象書類名】明細書
【補正対象項目名】０００１
【補正方法】変更
【補正の内容】
【０００１】
【発明の属する技術分野】
本発明は、画像データを圧縮する機能を有する撮像装置および画像処理装置に関する。
【手続補正４】
【補正対象書類名】明細書
【補正対象項目名】０００６
【補正方法】変更
【補正の内容】
【０００６】
そこで、本発明は、使用者の目的に応じて、適切に画像データを圧縮等できる撮像装置および画像処理装置を提供することを目的とする。
【手続補正５】
【補正対象書類名】明細書
【補正対象項目名】０００７
【補正方法】変更
【補正の内容】
【０００７】
【課題を解決するための手段】
本発明に係る撮像装置の一つは、例えば、画像を撮像して画像データを生成する撮像手段と、前記画像データを非可逆圧縮する場合は、前記画像データに対して直交変換処理、量子化処理およびエントロピー符号化処理を連続的に行い、前記画像データを可逆圧縮する場合は、前記画像データに対して前記エントロピー符号化処理を行い、前記直交変換処理および前記量子化処理を行わない圧縮手段と、前記圧縮手段により非可逆圧縮または可逆圧縮された前記画像データを記録媒体に記録する記録手段とを有することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】変更
【補正の内容】
【００１６】
本発明に係る撮像装置の一つは、例えば、画像を撮像して画像データを生成する撮像手段と、前記画像データに対して直交変換処理および量子化処理を行う第１の手段と、前記第１の手段で処理された後の前記画像データまたは前記第１の手段で処理される前の前記画像データに対してエントロピー符号化処理を行う第２の手段とを有する圧縮手段と、前記圧縮手段により非可逆圧縮または可逆圧縮された前記画像データを記録媒体に記録する記録手段とを有し、前記画像データを非可逆圧縮する場合は、前記画像データを前記第１の手段に供給した後、前記画像データを前記第２の手段に供給し、前記画像データを可逆圧縮する場合は、前記画像データを前記第１の手段に供給せずに前記第２の手段に供給することを特徴とする。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】変更
【補正の内容】
【００１８】
本発明に係る画像処理装置の一つは、例えば、画像データを非可逆圧縮する場合は、前記画像データに対して直交変換処理、量子化処理およびエントロピー符号化処理を連続的に行い、前記画像データを可逆圧縮する場合は、前記画像データに対して前記エントロピー符号化処理を行い、前記直交変換処理および前記量子化処理を行わない圧縮手段と、前記圧縮手段により非可逆圧縮または可逆圧縮された前記画像データを記録媒体に記録する記録手段とを有することを特徴とする。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
本発明に係る画像処理装置の一つは、例えば、画像データに対して直交変換処理および量子化処理を行う第１の手段と、前記第１の手段で処理された後の前記画像データまたは前記第１の手段で処理される前の前記画像データに対してエントロピー符号化処理を行う第２の手段とを有する圧縮手段と、前記圧縮手段により非可逆圧縮または可逆圧縮された前記画像データを記録媒体に記録する記録手段とを有し、前記画像データを非可逆圧縮する場合は、前記画像データを前記第１の手段に供給した後、前記画像データを前記第２の手段に供給し、前記画像データを可逆圧縮する場合は、前記画像データを前記第１の手段に供給せずに前記第２の手段に供給することを特徴とする。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】